(57)【要約】【課題】放熱性能の改善により小型化を図ることができるＬＥＤ照明器具を提供する。【解決手段】ソケット２２にねじ部２４１をねじ込んで装着されたＬＥＤ電球２４は、反射部２５の内側に収容される。このとき、反射部２５が、ＬＥＤ電球２４のねじ部２４１の先端で発光部２４３との間に設けられている筒部２４２に、パッキン２６を介して当接するので、筒部２４２から発せられる熱は、筒部２４２から直接反射部２５の外側に放出される。これにより、反射部２５の内容積を増大させることなく、放熱性を改善できるので、ＬＥＤ照明器具１０の小型化を図ることができる。【選択図】図１
2013143235.tif 000002
【特許請求の範囲】
【請求項１】
商用電源から点灯電力を供給されるソケットと、
前記ソケットに取り付けられるＬＥＤ電球と、
前記ＬＥＤ電球からの光を所定の方向へ反射する反射部と、を有し、
前記ＬＥＤ電球が、前記ソケットにねじ込まれて導通するねじ部と、前記ねじ部の先端に設けられる筒部と、前記筒部の先端に取り付けられる半球状の発光部と、を有するとともに、
前記反射部が、前記ＬＥＤ電球の前記筒部にパッキンを介して当接するＬＥＤ照明器具。
【請求項２】
請求項１に記載のＬＥＤ照明器具において、
前記パッキンが，熱伝導性を有するＬＥＤ照明器具。
【請求項３】
請求項１または請求項２に記載のＬＥＤ照明器具において、
前記パッキンが、前記筒部と前記発光部との境界部に当接するＬＥＤ照明器具。
【発明の詳細な説明】
【技術分野】
【０００１】
本発明は、ＬＥＤ電球を光源とするＬＥＤ照明器具に関するものである。
【背景技術】
【０００２】
近年、高い省エネ性と長寿命を有するＬＥＤ電球を光源とするＬＥＤ照明器具が用いられるようになってきた（例えば、特許文献１参照）。
図５に示すように、一般に、ＬＥＤ電球１０１を用いたＬＥＤ照明器具１００は、天井１０２の取付孔１０３に取り付けられる反射板を兼ねた器具本体１０４を有する。器具本体１０４の天板１０５には、ＬＥＤ電球１０１を装着するソケット１０６が、パッキン１０７を介して取り付けられており、ソケット１０６に装着されたＬＥＤ電球１０１は、器具本体１０４に収容される。
なお、取付孔１０３に取り付けられたＬＥＤ照明器具１００は、天井１０２の上側（天井裏）において、断熱材１０８により覆われている場合がある。
【先行技術文献】
【特許文献】
【０００３】
【特許文献１】特開２０１１−１８７１８８号公報（第５図）
【発明の概要】
【発明が解決しようとする課題】
【０００４】
前述したような従来のＬＥＤ照明器具１００においては、ＬＥＤ電球１０１が発した熱により、半導体発光素子や点灯回路部品等が高温になると、短寿命化や光束低下等を招くため、放熱を行う必要がある。このため、ＬＥＤ電球１０１が発した熱を、器具本体１０４の内部に放出している（図５中矢印参照）。
しかしながら、器具本体１０４の内部はパッキン１０７により密閉されているので、熱が器具本体１０４の内部にこもりやすくなる。このため、器具内の容積を増大させて放熱用の空間を確保する必要があり、照明器具の小型化を妨げるという問題があった。
【０００５】
本発明は、従来の問題を解決するためになされたもので、放熱性能の改善により小型化を図ることができるＬＥＤ照明器具を提供することを目的とする。
【課題を解決するための手段】
【０００６】
本発明のＬＥＤ照明器具は、商用電源から点灯電力を供給されるソケットと、前記ソケットに取り付けられるＬＥＤ電球と、前記ＬＥＤ電球からの光を所定の方向へ反射する反射部と、を有し、前記ＬＥＤ電球が、前記ソケットにねじ込まれて導通するねじ部と、前記ねじ部の先端に設けられる筒部と、前記筒部の先端に取り付けられる半球状の発光部と、を有するとともに、前記反射部が、前記ＬＥＤ電球の前記筒部にパッキンを介して当接するものである。
【０００７】
また、本発明のＬＥＤ照明器具は、前記パッキンが、熱伝導性を有するものである。
【０００８】
さらに、本発明のＬＥＤ照明器具は、前記パッキンが、前記筒部と前記発光部との境界部に当接するものである。
【発明の効果】
【０００９】
本発明では、反射部が、ＬＥＤ電球のねじ部の先端で発光部との間に設けられている筒部に、パッキンを介して当接するので、筒部から発せられる熱は、筒部から直接反射部の外側に放出されることになり、反射部の内容積を増大させることなく、放熱性を改善できる。これにより、放熱性を改善してＬＥＤ照明器具の小型化を図ることができるという効果を有するＬＥＤ照明器具を提供できる。
【図面の簡単な説明】
【００１０】
【図１】本発明に係る実施形態のＬＥＤ照明器具を天井に取り付けた状態を示す断面図
【図２】本発明に係る実施形態のＬＥＤ照明器具を下方から見た斜視図
【図３】本発明に係る実施形態のＬＥＤ照明器具を上方から見た斜視図
【図４】本発明に係る実施形態のＬＥＤ照明器具の放熱性を説明する断面図
【図５】従来のＬＥＤ照明器具の取付状態を示す断面図
【発明を実施するための形態】
【００１１】
以下、本発明に係る実施形態のＬＥＤ照明器具について、図面を用いて説明する。
図１に示すように、本発明に係る実施形態のＬＥＤ照明器具１０は、被取付部である天井１１に設けられた取付孔１２に取り付けて、主に下方を照明するダウンライトとして用いることができる。
なお、以下の説明においては、照射方向を下方とし、照射方向反対側を上方とする。
【００１２】
図２および図３にも示すように、ＬＥＤ照明器具１０は、対向する２枚の板部材２０１，２０２と上板２０３により、コ字形状に構成された器具本体２０を有しており、器具本体２０の上側には天板２１を有する。なお、板部材２０１，２０２は、天板２１の長手方向に沿って対向して設けるのが望ましい。
これにより、器具本体２０の側面は、天板２１の長手方向に向かって大きく開口する。
【００１３】
天板２１は、器具本体２０の上板２０３から張り出して設けられており、張り出した端部の下面には、商用電源（図示省略）と接続するための端子台２３が設けられている。天板２１の下面にはソケット２２が取り付けられており、ソケット２２は、器具本体２０の内部に収容される。ソケット２２は、端子台２３と電気的に接続されており、点灯電力が供給されるようになっている。
【００１４】
ソケット２２には、ＬＥＤ電球２４が装着される。ＬＥＤ電球２４は、ソケット２２にねじ込まれて導通するねじ部２４１（図１参照）と、ねじ部２４１の下端に設けられる筒部２４２と、筒部２４２の下端に取り付けられる半球状の発光部２４３とを有する。筒部２４２は、ねじ部２４１から発光部２４３に向かって拡径しており、発光部２４３との境界（境界部２４４）において外径が最大となる。発光部２４３には、光源であるＬＥＤ（図示省略）が収容されている。
【００１５】
器具本体２０の下端部には、下方に向かって拡径して開口する略円錐台形状の反射部２５が取り付けられており、ＬＥＤ電球２４からの光を所定の方向および範囲に反射する。また、反射部２５の上板２５１には開口２５２が設けられており、開口２５２の内周に沿って全周に亘る気密用のパッキン２６が取り付けられている。パッキン２６は、熱伝導性が高いものが望ましい。
【００１６】
パッキン２６はリング形状をしており、内径は筒部２４２の最大外径、すなわち筒部２４２と発光部２４３との境界の外径よりも小さくなっている。
これにより、ＬＥＤ電球２４のねじ部２４１をソケット２２にねじ込むことにより、反射部２５は、ＬＥＤ電球２４の筒部２４２にパッキン２６を介して当接する。
【００１７】
パッキン２６とＬＥＤ電球２４との上下方向の相対的位置関係は、ＬＥＤ電球２４が装着されるソケット２２の位置および高さによって変わる。すなわち、ソケット２２が取り付けられている器具本体２０の天板２１の高さおよびソケット２２の高さにより、ソケット２２に装着されるＬＥＤ電球２４の位置が上下する。
【００１８】
このため、ＬＥＤ電球２４における筒部２４２と発光部２４３との間の境界部２４４が、パッキン２６の位置（すなわち器具本体２０の下端）にくるように、器具本体２０およびソケット２２の高さを設定しておくことにより、境界部２４４をパッキン２６に当接させることができる。すなわち、器具本体２０の高さを、ソケット２２の高さと筒部２４２の高さを加えたものに設定する。
あるいは、器具本体２０の高さを調整することにより、筒部２４２の中間位置にパッキン２６を当接させることもできる。
これにより、筒部２４２の全体あるいは少なくとも一部は、パッキン２６の上側に位置するので、反射部２５の外側に位置することになる。
【００１９】
反射部２５の外周面には、周方向に沿って所定間隔で複数個（ここでは、３個）の取付ばね２７が、外側へ放射状に設けられている。
また、反射部２５の下端には、円環板状の鍔部２８が設けられている。鍔部２８の外径は、天井１１に設けられている取付孔１２の内径よりも大きく、ＬＥＤ照明器具１０を取り付けた状態で、天井１１の下面に当接して下方に露出する。
【００２０】
従って、図４に示すように、鍔部２８と取付ばね２７との間に天井１１を挟持することにより、ＬＥＤ照明器具１０は取付孔１２に取り付けられる。
このとき、ＬＥＤ電球２４の筒部２４２は反射部２５の外側に位置するため、筒部２４２から発せられた熱は、天井裏１４に発せられる（図４中矢印参照）。また、筒部２４２を収容する器具本体２０が、天板２１の長手方向に向かって開口しているので、容易に天井裏１４に放熱される。
なお、図４に示すように、ＬＥＤ照明器具１０が、天井裏１４において断熱材１３で覆われている場合でも、天板２１の下方に放熱用の空間が確保されているので、効率的に放熱される。
【００２１】
以上、説明した本発明に係る実施形態のＬＥＤ照明器具１０によれば、ソケット２２にねじ部２４１をねじ込んで装着されたＬＥＤ電球２４は、反射部２５の内側に収容される。
このとき、反射部２５が、ＬＥＤ電球２４のねじ部２４１の先端で発光部２４３との間に設けられている筒部２４２に、パッキン２６を介して当接するので、筒部２４２から発せられる熱は、筒部２４２から直接反射部２５の外側に放出される。
これにより、反射部２５の内容積を増大させることなく、放熱性を改善できるので、ＬＥＤ照明器具１０の小型化を図ることができる。
【００２２】
また、パッキン２６が熱伝導性を有するので、パッキン２６が取り付けられている位置よりも発光部２４３側に位置する筒部２４２が発した熱を、パッキン２６を介して反射部２５の外側へ放出することができ、放熱性が改善される。
【００２３】
さらに、反射部２５に取り付けられるパッキン２６が、筒部２４２と発光部２４３との境界部２４４に当接するので、筒部２４２は全体が反射部２５の外側に位置する。
このため、筒部２４２から発せられた熱は、ほとんど反射部２５の外側に放出されるので、放熱性が改善される。
【００２４】
なお、本発明のＬＥＤ照明器具は、前述した実施形態に限定されるものでなく、適宜な変形，改良等が可能である。
【符号の説明】
【００２５】
１０  ＬＥＤ照明器具
２２  ソケット
２４  ＬＥＤ電球
２４１  ねじ部
２４２  筒部
２４３  発光部
２４４  境界部
２５  反射部
２６  パッキン
【図１】
2013143235.tif 000003
【図２】
2013143235.tif 000004
【図３】
2013143235.tif 000005
【図４】
2013143235.tif 000006
【図５】
2013143235.tif 000007